(57)【要約】【課題】製品を収納する梱包箱を並べた場合において製品の識別を視覚的に容易に行うことができる梱包箱を得ること。【解決手段】製品を収納する梱包箱２０であって、複数の側面２１ａ，２１ｂ，２１ｃ，２１ｄのうち少なくとも一つの側面に製品を識別するための少なくとも一対の識別マーク３１，３２が配置される。一対の識別マーク３１，３２の一方と他方は、少なくとも一つの側面の一端と他端とに対称に配置される。【選択図】図４
2020203701.tif 000002
【特許請求の範囲】
【請求項１】
製品を収納する梱包箱であって、
複数の側面のうち少なくとも一つの側面に前記製品を識別するための少なくとも一対の識別マークが配置され、
前記一対の識別マークの一方と他方は、
前記少なくとも一つの側面の一端と他端とに対称に配置される
ことを特徴とする梱包箱。
【請求項２】
前記一対の識別マークの一方と他方は、
左右対称に配置される
ことを特徴とする請求項１に記載の梱包箱。
【請求項３】
前記一対の識別マークの一方と他方は、
上下対称に配置される
ことを特徴とする請求項１または２に記載の梱包箱。
【請求項４】
前記一対の識別マークは、
前記複数の側面の各々に配置される
ことを特徴とする請求項１から３のいずれか一つに記載の梱包箱。
【請求項５】
前記複数の側面のうち隣接する２つの側面の一方の側面に配置された前記一対の識別マークのうちの一つと他方の側面に配置された前記一対の識別マークのうちの一つとが連続する
ことを特徴とする請求項２に記載の梱包箱。
【発明の詳細な説明】
【技術分野】
【０００１】
本発明は、製品を収納する梱包箱に関する。
【背景技術】
【０００２】
従来、製品を収納する梱包箱にバーコードを印刷または貼着させることで梱包箱に収納された製品の識別が行われている。例えば、特許文献１には、包装箱のうちバーコードが印刷または貼着される領域を凹部にすることでバーコードを読み取り易くする技術が開示されている。
【先行技術文献】
【特許文献】
【０００３】
【特許文献１】実開平１−１４４３６６号公報
【発明の概要】
【発明が解決しようとする課題】
【０００４】
上記特許文献１に記載の技術では、バーコードを読み取り易くすることはできるが、バーコードで製品の識別を行うためにはバーコードリーダなど専用の機器が必要となり、視覚的に製品の識別を行うことが難しい。例えば送風機または換気扇などの製品は、機種数などが多く、同一寸法で機能または化粧面が異なる製品が多いことから、工場または流通倉庫などにおいて種類の異なる製品を収納した梱包箱が誤って縦または横に並べられる可能性が高くなる。しかしながら、バーコードでは、視覚的に製品の識別を行うことが難しいことから、従来の梱包箱では、異なる機種の製品を収納した梱包箱が誤って並べられた場合、かかる誤りに気がつかない可能性が高い。
【０００５】
本発明は、上記に鑑みてなされたものであって、製品を収納する梱包箱を並べた場合において、製品の識別を視覚的に容易に行うことができる梱包箱を得ることを目的とする。
【課題を解決するための手段】
【０００６】
上述した課題を解決し、目的を達成するために、本発明は、製品を収納する梱包箱であって、複数の側面のうち少なくとも一つの側面に製品を識別するための少なくとも一対の識別マークが配置される。一対の識別マークの一方と他方は、少なくとも一つの側面の一端と他端とに対称に配置される。
【発明の効果】
【０００７】
本発明によれば、製品を収納する梱包箱を並べた場合において製品の識別を視覚的に容易に行うことができる、という効果を奏する。
【図面の簡単な説明】
【０００８】
【図１】本発明の実施の形態１にかかる換気扇の断面図
【図２】実施の形態１にかかる換気扇のうち化粧グリルを省いた正面図
【図３】実施の形態１にかかる換気扇を梱包箱に収納する様子を示す図
【図４】実施の形態１にかかる梱包箱の展開図
【図５】実施の形態１にかかる同一種類の換気扇を収納した複数の梱包箱を横および縦に並べた様子の一例を示す図
【図６】実施の形態１にかかる同一種類の換気扇を収納した複数の梱包箱を横および縦に並べた様子の他の例を示す図
【図７】実施の形態１にかかる識別マークを構成する構成要素候補の配置および数を説明するための図
【図８】実施の形態１にかかる識別マークの構成の一例を示す図
【図９】実施の形態１にかかる識別マークの構成の他の例を示す図
【図１０】実施の形態１にかかる識別マークの構成のさらに他の例を示す図
【図１１】実施の形態１にかかる識別マークを構成する構成要素候補の配置および数を説明するための図
【図１２】実施の形態１にかかる異なる種類の換気扇を収納した複数の梱包箱を横および縦に並べた様子の一例を示す図
【図１３】実施の形態１にかかる異なる種類の換気扇を収納した複数の梱包箱を横および縦に並べた様子の他の例を示す図
【図１４】実施の形態１にかかる異なる種類の換気扇を収納した複数の梱包箱を横および縦に並べた様子のさらに他の例を示す図
【発明を実施するための形態】
【０００９】
以下に、本発明の実施の形態にかかる梱包箱を図面に基づいて詳細に説明する。なお、この実施の形態によりこの発明が限定されるものではない。
【００１０】
実施の形態１．
図１は、本発明の実施の形態１にかかる換気扇の断面図である。図２は、実施の形態１にかかる換気扇のうち化粧グリルを省いた正面図である。図１に示す換気扇１００は、室内外を連通させるダクト１２にダクト接続枠８を挿入した上で運転することで、室内の空気を換気する。
【００１１】
換気扇１００は、換気扇ボディ２と、ダクト接続枠８と、多翼式送風機１とを備える。換気扇ボディ２は、室内に対向する面が開放されて形成される吸気口２ｂと、ダクト１２に対向する面が開放されて形成される排気口２ｃとを有する。ダクト接続枠８は、換気扇ボディ２の排気口２ｃが形成されている側面から垂直に延び、排気口２ｃをダクト１２に連通する位置まで延長する。ダクト１２は、屋外まで延びており建物の屋外外壁に備えられたフードなどに連結され、住宅内の空気を換気する換気風路を形成している。
【００１２】
多翼式送風機１は、換気する空気を流通させる換気駆動体である。換気扇ボディ２には多翼式送風機１が配置されるファンケーシング５が収納されている。かかるファンケーシング５は、下面が開放されて吸込口６が形成されており、多翼式送風機１の風路を形成する。
【００１３】
換気扇１００は、ファンケーシング５といった内部部品が室内から見えて見栄えが悪くならないようにする意匠部品である化粧グリル１０を備える。化粧グリル１０は、取付用のスプリング１１を備えており、ファンケーシング５に取付けられているスプリング固定部７にスプリング１１を引っ掛けることにより、換気扇ボディ２のフランジ２ａに当接した状態で固定される。
【００１４】
多翼式送風機１は、モータ３と、モータ３のシャフトに差込結合されるファン４とを備える。モータ３のシャフトの回転運動をファン４に伝えることでファン４が回転する。ファン４の回転によって、住宅内の空気が吸込口６からファンケーシング５の中に流入して排気口２ｃへ流出する風路が形成される。
【００１５】
ダクト接続枠８の外形は、径の異なる段状に形成されている。これにより、ダクト１２の径が異なった場合においても対応でき、かつ、テーピングなどの作業性を高めることができる。ダクト接続枠８内には、風圧にて開閉するシャッター９が設けられている。シャッター９は、換気扇１００が運転時には風圧で開き、換気扇１００が停止時にはシャッター９の自重でダクト接続枠８を閉鎖する構造を有している。このように、換気扇１００にシャッター９を設けることで、換気扇１００が停止時に屋外からの外風が室内に侵入することを防止することができる。
【００１６】
図３は、実施の形態１にかかる換気扇を梱包箱に収納する様子を示す図である。図３に示すように、換気扇１００は、説明書１４および梱包グリル１３と共に梱包箱２０に収納される。梱包箱２０の側面には、識別マーク３１，３２，３３，３４が印字または貼着されている。識別マーク３１，３２，３３，３４は、換気扇１００を識別する識別マークであり、換気扇１００の種類毎に異なるマークである。
【００１７】
以下、識別マーク３１，３２，３３，３４が印字または貼着された梱包箱２０について具体的に説明する。図４は、実施の形態１にかかる梱包箱の展開図である。実施の形態１にかかる梱包箱２０は、図４に示すように、側壁部２１、底壁部２２、天壁部２３、および糊しろ部２７とを備える。
【００１８】
側壁部２１は、梱包箱２０における側面２１ａ，２１ｂ，２１ｃ，２１ｄを形成する。底壁部２２は、４つのフラップ２２ａ，２２ｂ，２２ｃ，２２ｄを有しており、これら４つのフラップ２２ａ，２２ｂ，２２ｃ，２２ｄが重なって構成される。底壁部２２は、図３に示すように梱包テープ１５によって固定される。天壁部２３は、４つのフラップ２３ａ，２３ｂ，２３ｃ，２３ｄを有しており、これら４つのフラップ２３ａ，２３ｂ，２３ｃ，２３ｄが重なって構成される。天壁部２３は、底壁部２２と同様に、梱包テープ１５によって固定される。梱包箱２０には、梱包箱２０を組み立てる際の折り曲げ処理によって稜線になる罫線２４，２５，２６が形成されている。
【００１９】
図４に示すように、梱包箱２０の側面２１ａ，２１ｃの各々には、一対の識別マーク３１，３２と、一対の識別マーク３３，３４とが印字または貼着されている。側面２１ａ，２１ｃの各々において、一対の識別マーク３１，３２は、図４における左右方向の一端と他端とに対称に配置され、一対の識別マーク３３，３４は、図４における上下方向の一端と他端とに対称に配置されている。また、梱包箱２０の側面２１ｂ，２１ｄの各々には、一対の識別マーク３１，３２が印字または貼着されている。側面２１ｂ，２１ｄの各々において、一対の識別マーク３１，３２は、図４における左右方向の一端と他端とに対称に配置されている。
【００２０】
側面２１ａの識別マーク３１と側面２１ｂの識別マーク３２とは罫線２４を介して連続して形成されている。側面２１ｂの識別マーク３１と側面２１ｃの識別マーク３２とは罫線２４を介して連続して形成されている。側面２１ａの識別マーク３２と側面２１ｄの識別マーク３１とは罫線２４を介して連続して形成されている。
【００２１】
また、梱包箱２０の側面２１ｂには、２次元バーコード４１が印字または貼着されている。同様に、梱包箱２０の側面２１ｄには、２次元バーコード４２が印字または貼着されている。２次元バーコード４１，４２は、識別マーク３１，３２が隠れない位置に印字または貼着されている。また、２次元バーコード４１，４２は、互いに同じ２次元バーコードであるが、互いにコードが異なる２次元バーコードであってもよい。
【００２２】
梱包箱２０には、換気扇１００の種類毎に異なる識別マーク３１，３２，３３，３４が印字または貼着される。例えば、梱包箱２０には、換気扇１００の型式毎に異なる識別マーク３１，３２，３３，３４が印字または貼着される。また、同一型式であっても製品仕様の変更が行われる換気扇１００の梱包箱２０には、換気扇１００の製品仕様の変更の前と後とで異なる識別マーク３１，３２，３３，３４が印字または貼着される。また、同一型式または同一製品仕様であっても部品変更が行われる換気扇１００の梱包箱２０には、部品変更の前と後で異なる識別マーク３１，３２，３３，３４が印字または貼着される。
【００２３】
図５は、実施の形態１にかかる同一種類の換気扇を収納した複数の梱包箱を横および縦に並べた様子の一例を示す図である。図６は、実施の形態１にかかる同一種類の換気扇を収納した複数の梱包箱を横および縦に並べた様子の他の例を示す図である。
【００２４】
図５に示す例では、同一種類の換気扇１００を収納した複数の梱包箱２０を側面２１ａが同じ方向に向くように横および縦に並べた様子が示されている。図５に示すように、横方向に隣接する２つの梱包箱２０の側面２１ａ同士で、一方の識別マーク３１と他方の識別マーク３２とが２つの梱包箱２０間の隙間を介して連続する。したがって、かかる識別マーク３１，３２によって横方向に隣接する２つの梱包箱２０が互いに同一種類の換気扇１００を収納していることを視覚的に容易に把握することができる。
【００２５】
また、図５に示すように、縦方向に隣接する２つの梱包箱２０の側面２１ａ同士で、一方の識別マーク３３と他方の識別マーク３４とが２つの梱包箱２０間の隙間を介して連続する。したがって、かかる識別マーク３３，３４によって縦方向に隣接する２つの梱包箱２０が互いに同一種類の換気扇１００を収納していることを視覚的に容易に把握することができる。
【００２６】
また、図４に示すように、側面２１ａと側面２１ｃとは、同じ位置に一対の識別マーク３１，３２および一対の識別マーク３３，３４が配置される。そのため、同一種類の換気扇１００を収納した複数の梱包箱２０を側面２１ｃが同じ方向に向くように横に並べた場合、一対の識別マーク３１，３２および一対の識別マーク３３，３４によって同一種類の換気扇１００が複数の梱包箱２０に格納されていることを視覚的に容易に把握することができる。このことは、同一種類の換気扇１００を収納した複数の梱包箱２０を側面２１ａと側面２１ｃとが混在して同じ方向に向くように並べた場合も同様である。
【００２７】
図６に示す例では、同一種類の換気扇１００を収納した複数の梱包箱２０を側面２１ｂが同じ方向に向くように横および縦に並べた様子が示されている。図６に示すように、横方向に隣接する２つの梱包箱２０の側面２１ｂ同士で、一方の識別マーク３１と他方の識別マーク３２とが２つの梱包箱２０間の隙間を介して連続する。したがって、かかる識別マーク３１，３２によって横方向に隣接する２つの梱包箱２０が同一種類の換気扇１００であることを視覚的に容易に把握することができる。
【００２８】
また、図４に示すように、側面２１ｂと側面２１ｄとは、同じ位置に一対の識別マーク３１，３２が配置される。そのため、同一種類の換気扇１００を収納した複数の梱包箱２０を側面２１ｄが同じ方向に向くように横に並べた場合、識別マーク３１，３２によって横方向に隣接する２つの梱包箱２０が互いに同一種類の換気扇１００を収納していることを視覚的に容易に把握することができる。このことは、同一種類の換気扇１００を収納した複数の梱包箱２０を側面２１ｂと側面２１ｄとが混在して同じ方向に向くように横に並べた場合も同様である。
【００２９】
ここで、識別マーク３１，３２についてさらに具体的に説明する。図７は、実施の形態１にかかる識別マークを構成する構成要素候補の配置および数を説明するための図である。図７に示すように、識別マーク３１の構成要素候補には、構成要素候補３１ａ，３１ｂ，３１ｃ，３１ｄ，３１ｅが含まれる。構成要素候補３１ａ，３１ｂ，３１ｃ，３１ｄ，３１ｅのうち隣接する構成要素候補間の距離Ｄ２，Ｄ３，Ｄ４，Ｄ５は、互いに異なる距離であってもよく一部または全部が同じ距離であってもよい。また、構成要素候補３１ａと罫線２５との距離Ｄ１と距離Ｄ２，Ｄ３，Ｄ４，Ｄ５とは、互いに異なる距離であってもよく一部または全部が同じ距離であってもよい。
【００３０】
識別マーク３２の構成要素候補には、構成要素候補３２ａ，３２ｂ，３２ｃ，３２ｄ，３２ｅが含まれる。構成要素候補３２ａ，３２ｂ，３２ｃ，３２ｄ，３２ｅのうち隣接する構成要素候補間の距離Ｄ２，Ｄ３，Ｄ４，Ｄ５は、互いに異なる距離であってもよく一部または全部が同じ距離であってもよい。また、構成要素候補３２ａと罫線２５との距離Ｄ１と距離Ｄ２，Ｄ３，Ｄ４，Ｄ５とは、互いに異なる距離であってもよく一部または全部が同じ距離であってもよい。
【００３１】
構成要素候補３１ａ，３１ｂ，３１ｃ，３１ｄ，３１ｅと構成要素候補３２ａ，３２ｂ，３２ｃ，３２ｄ，３２ｅとは図７において罫線２４に対して対称になる位置に配置される。また、構成要素候補３１ａと構成要素候補３２ａとは罫線２４を介して連続する。構成要素候補３１ｂと構成要素候補３２ｂとは罫線２４を介して連続する。構成要素候補３１ｃと構成要素候補３２ｃとは罫線２４を介して連続する。構成要素候補３１ｄと構成要素候補３２ｄとは罫線２４を介して連続する。構成要素候補３１ｅと構成要素候補３２ｅとは罫線２４を介して連続する。
【００３２】
識別マーク３１は、構成要素候補３１ａ，３１ｂ，３１ｃ，３１ｄ，３１ｅのうち１以上の構成要素候補を構成要素として含む。例えば、図４に示す識別マーク３１は、構成要素候補３１ａ，３１ｂ，３１ｃ，３１ｄ，３１ｅのうち２つの構成要素候補を構成要素として含む。同様に、識別マーク３２は、構成要素候補３２ａ，３２ｂ，３２ｃ，３２ｄ，３２ｅのうち１以上の構成要素候補を構成要素として含む。例えば、図４に示す識別マーク３２は、構成要素候補３２ａ，３２ｂ，３２ｃ，３２ｄ，３２ｅのうち２つの構成要素候補を構成要素として含む。
【００３３】
識別マーク３１，３２の罫線２５からの距離は、構成要素にする構成要素候補の数などによって変更することができる。図８は、実施の形態１にかかる識別マークの構成の一例を示す図であり、図９は、実施の形態１にかかる識別マークの構成の他の例を示す図である。図８に示す各識別マーク３１，３２は、１つの構成要素から構成されており、図８における上下方向において罫線２５から各識別マーク３１，３２の中心位置までの距離は、距離Ｄ１１である。また、図９に示す各識別マーク３１，３２は、２つの構成要素から構成されており、図９における上下方向において罫線２５から各識別マーク３１，３２の中心位置までの距離は、距離Ｄ１１である。このように、罫線２５から各識別マーク３１，３２の中心位置まで距離を一定の距離Ｄ１１にしつつ構成要素の数を増減させることで、換気扇１００の種類毎に異なる識別マーク３１，３２を得ることができる。
【００３４】
上述した識別マーク３１，３２の各々は、黒塗りされた一つの長方形であるが、各識別マーク３１，３２は、上述した例に限定されない。図１０は、実施の形態１にかかる識別マークの構成のさらに他の例を示す図である。図１０に示すように、識別マーク３１は、黒塗りされた複数の長方形を各々含む２つの構成要素候補３１ａ，３１ｂから構成される。同様に、識別マーク３２は、黒塗りされた複数の長方形を各々含む２つの構成要素候補３２ａ，３２ｂから構成される。なお、識別マーク３１，３２は、複数の長方形を含む１つの構成要素候補または複数の長方形を各々含む３以上の構成要素候補から構成されてもよい。
【００３５】
次に、識別マーク３３，３４について説明する。図１１は、実施の形態１にかかる識別マークを構成する構成要素候補の配置および数を説明するための図である。図１１に示すように、識別マーク３３の構成要素候補には、構成要素候補３３ａ，３３ｂ，３３ｃ，３３ｄ，３３ｅが含まれる。構成要素候補３３ａ，３３ｂ，３３ｃ，３３ｄ，３３ｅのうち隣接する構成要素候補間の距離Ｄ７，Ｄ８，Ｄ９，Ｄ１０は、互いに異なる距離であってもよく一部または全部が同じ距離であってもよい。また、構成要素候補３３ａと罫線２４との距離Ｄ６と距離Ｄ７，Ｄ８，Ｄ９，Ｄ１０とは、互いに異なる距離であってもよく一部または全部が同じ距離であってもよい。
【００３６】
識別マーク３４の構成要素候補には、構成要素候補３４ａ，３４ｂ，３４ｃ，３４ｄ，３４ｅが含まれる。構成要素候補３４ａ，３４ｂ，３４ｃ，３４ｄ，３４ｅのうち隣接する構成要素候補間の距離Ｄ７，Ｄ８，Ｄ９，Ｄ１０は、互いに異なる距離であってもよく一部または全部が同じ距離であってもよい。また、構成要素候補３４ａと罫線２４との距離Ｄ６と距離Ｄ７，Ｄ８，Ｄ９，Ｄ１０とは、互いに異なる距離であってもよく一部または全部が同じ距離であってもよい。
【００３７】
構成要素候補３３ａ，３３ｂ，３３ｃ，３３ｄ，３３ｅは、一端が罫線２５の位置にあり、構成要素候補３４ａ，３４ｂ，３４ｃ，３４ｄ，３４ｅは、一端が罫線２６の位置にある。構成要素候補３３ａ，３３ｂ，３３ｃ，３３ｄ，３３ｅと構成要素候補３４ａ，３４ｂ，３４ｃ，３４ｄ，３４ｅとは図１１において上下対称になる位置に配置される。
【００３８】
識別マーク３３は、構成要素候補３３ａ，３３ｂ，３３ｃ，３３ｄ，３３ｅのうち１以上の構成要素候補を構成要素として含む。例えば、図４に示す識別マーク３３は、構成要素候補３３ａ，３３ｂ，３３ｃ，３３ｄ，３３ｅのうち２つの構成要素候補を構成要素として含む。同様に、識別マーク３４は、構成要素候補３４ａ，３４ｂ，３４ｃ，３４ｄ，３４ｅのうち１以上の構成要素候補を構成要素として含む。例えば、識別マーク３４は、構成要素候補３４ａ，３４ｂ，３４ｃ，３４ｄ，３４ｅのうち２つの構成要素候補を構成要素として含む。
【００３９】
また、識別マーク３３，３４は、図９および図１０に示す識別マーク３１，３２と同様の方法で構成することができる。例えば、識別マーク３３，３４は、罫線２４から各識別マーク３３，３４の中心位置まで距離を一定の距離にしつつ構成要素の数を増減させることで、換気扇１００の種類毎に異なる識別マーク３３，３４を得ることができる。
【００４０】
上述した識別マーク３３，３４の各々は、黒塗りされた一つの長方形であるが、かかる例に限定されない。例えば、識別マーク３３，３４は、識別マーク３１，３２と同様に、黒塗りされた複数の長方形を各々含む１以上の構成要素候補を構成要素として含んでもよい。また、識別マーク３１，３２，３３，３４の形状は、上述した形状に限定されず、隣接する梱包箱２０間で収納されている製品の種類が同一か異なるかを識別できる形状であればよい。
【００４１】
次に、異なる種類の製品を収納した梱包箱２０が横および縦に並べられた場合について説明する。図１２は、実施の形態１にかかる異なる種類の換気扇を収納した複数の梱包箱を横および縦に並べた様子の一例を示す図である。図１３は、実施の形態１にかかる異なる種類の換気扇を収納した複数の梱包箱を横および縦に並べた様子の他の例を示す図である。図１４は、実施の形態１にかかる異なる種類の換気扇を収納した複数の梱包箱を横および縦に並べた様子のさらに他の例を示す図である。
【００４２】
なお、図１２〜図１４では、説明の便宜上、互いに異なる種類の換気扇１００を収納した梱包箱２０の一方を梱包箱２０Ａとし他方を梱包箱２０Ｂとする。図１２および図１３に示す例では、梱包箱２０Ａと梱包箱２０Ｂとは識別マーク３１，３２，３３，３４の位置が互いに異なる。
【００４３】
図１２に示す例では、複数の梱包箱２０Ａ，２０Ｂを側面２１ａが同じ方向に向くように横および縦に並べた様子が示されており、梱包箱２０Ａと梱包箱２０Ｂとは識別マーク３１，３２，３３，３４の位置が互いに異なる。図１２に示すように、横方向に隣接する中段の２つの梱包箱２０Ａ，２０Ｂの側面２１ａ同士で、一方の識別マーク３１と他方の識別マーク３２とが図１２における上下方向でずれている。したがって、識別マーク３１，３２によって横方向に隣接する２つの梱包箱２０Ａ，２０Ｂが互いに異なる種類の換気扇１００を収納していることを視覚的に容易に把握することができる。
【００４４】
また、図１２に示すように、図１２における右列において縦方向に隣接する２つの梱包箱２０Ａ，２０Ｂの側面２１ａ同士で、一方の識別マーク３３と他方の識別マーク３４とが図１２における左右方向でずれている。したがって、識別マーク３３，３４によって縦方向に隣接する２つの梱包箱２０Ａ，２０Ｂが互いに異なる種類の換気扇１００を収納していることを視覚的に容易に把握することができる。
【００４５】
また、図１３に示す例では、複数の梱包箱２０Ａ，２０Ｂを側面２１ｂが同じ方向に向くように横および縦に並べた様子が示されている。また、図１３に示すように、横方向に隣接する中段の２つの梱包箱２０Ａ，２０Ｂの側面２１ｂ同士で、一方の識別マーク３１と他方の識別マーク３２とが図１３における上下方向でずれている。したがって、識別マーク３１，３２によって横方向に隣接する２つの梱包箱２０Ａ，２０Ｂが互いに異なる種類の換気扇１００を収納していることを視覚的に容易に把握することができる。
【００４６】
また、図１４に示す例では、複数の梱包箱２０Ａ，２０Ｂを側面２１ａが同じ方向に向くように横および縦に並べた様子が示されている。また、図１４に示す例では、梱包箱２０Ａと梱包箱２０Ｂとは識別マーク３１，３２が図１４における上下方向の中心位置は同じであるが構成要素の数が異なる。また、梱包箱２０Ａと梱包箱２０Ｂとは識別マーク３３，３４が図１４における左右方向の中心位置は同じであるが構成要素の数が異なる。
【００４７】
図１４に示すように、横方向に隣接する中段の２つの梱包箱２０Ａ，２０Ｂの側面２１ａ同士で、一方の識別マーク３１の構成要素の数と他方の識別マーク３２の構成要素の数とが異なる。したがって、識別マーク３１，３２によって横方向に隣接する２つの梱包箱２０Ａ，２０Ｂが互いに異なる種類の換気扇１００を収納していることを視覚的に容易に把握することができる。
【００４８】
また、図１４に示すように、図１４における右列において縦方向に隣接する２つの梱包箱２０Ａ，２０Ｂの側面２１ａ同士で、一方の識別マーク３３の構成要素の数と他方の識別マーク３４の構成要素の数とが異なる。したがって、識別マーク３３，３４によって縦方向に隣接する２つの梱包箱２０Ａ，２０Ｂが互いに異なる種類の換気扇１００を収納していることを視覚的に容易に把握することができる。
【００４９】
図１４において、梱包箱２０Ａに収納される換気扇１００と梱包箱２０Ｂに収納される換気扇１００とは、例えば、製品の型名は同じであるが、換気扇１００の部品または仕様が変更されていることを示している。例えば、梱包箱２０Ａに収納される換気扇１００は、梱包箱２０Ｂに収納される換気扇１００から部品または仕様が変更されている。これにより、同一型式で部品または仕様が変更された換気扇１００が誤って混入していないかを容易に把握することができる。
【００５０】
なお、上述した例では、換気扇１００の型式毎に識別マーク３１，３２，３３，３４の形状を異なるものとしたが、形状のみならず模様または色を変更することができる。例えば、識別マーク３１，３２，３３，３４の形状を換気扇１００の型式毎に変更しつつ、換気扇１００から部品または仕様の変更毎に模様または色を変えることもできる。また、識別マーク３１，３２，３３，３４の模様または色を換気扇１００の型式毎に変更しつつ、換気扇１００から部品または仕様の変更毎に形状を変えることもできる。
【００５１】
また、上述した例では、一対の識別マーク３３，３４は、側面２１ａと側面２１ｂに配置されるが、側面２１ｂと側面２１ｄにも配置することができ、また、１つの側面のみに配置することもできる。また、上述した例では、一対の識別マーク３１，３２は、全ての側面に配置されるが、一対の識別マーク３１，３２は、一部の側面のみに配置してもよい。
【００５２】
また、上述した例では、梱包箱２０に換気扇１００が収納されるが、梱包箱２０は、換気扇１００のうち多翼式送風機１を収納する梱包箱であってもよく、換気扇１００および多翼式送風機１以外の製品を収納する梱包箱であってもよい。
【００５３】
以上のように、実施の形態１にかかる梱包箱２０は、製品を収納する梱包箱であって、複数の側面２１ａ，２１ｂ，２１ｃ，２１ｄのうち少なくとも一つの側面に製品を識別するための一対の識別マーク３１，３２および一対の識別マーク３３，３４が配置される。一対の識別マーク３１，３２の一方と他方は、側面の一端と他端とに対称に配置される。また、一対の識別マーク３３，３４の一方と他方は、側面の一端と他端とに対称に配置される。これにより、梱包箱２０を並べた場合に、隣接する梱包箱２０が互いに同一または異なる種類の換気扇１００を収納していることを視覚的に容易に把握することができる。
【００５４】
また、一対の識別マーク３１，３２の一方と他方は、左右対称に配置される。これにより、梱包箱２０を横に並べた場合に、隣接する梱包箱２０が互いに同一または異なる種類の換気扇１００を収納していることを視覚的に容易に把握することができる。
【００５５】
また、一対の識別マーク３３，３４の一方と他方は、上下対称に配置される。これにより、梱包箱２０を縦に並べた場合に、隣接する梱包箱２０が互いに同一または異なる種類の換気扇１００を収納していることを視覚的に容易に把握することができる。
【００５６】
一対の識別マーク３１，３２は、複数の側面２１ａ，２１ｂ，２１ｃ，２１ｄの各々に配置される。これにより、どの側面から見ても隣接する梱包箱２０が互いに同一または異なる種類の換気扇１００を収納していることを視覚的に容易に把握することができる。
【００５７】
また、複数の側面２１ａ，２１ｂ，２１ｃ，２１ｄのうち隣接する２つの側面の一方の側面に配置された一対の識別マーク３１，３２のうちの一つと他方の側面に配置された一対の識別マーク３１，３２のうちの一つとが連続する。これにより、梱包箱２０が互いに同一または異なる種類の換気扇１００を収納していることを視覚的にさらに容易に把握することができる。
【００５８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５９】
１  多翼式送風機、２  換気扇ボディ、２ａ  フランジ、２ｂ  吸気口、２ｃ  排気口、３  モータ、４  ファン、５  ファンケーシング、６  吸込口、７  スプリング固定部、８  ダクト接続枠、９  シャッター、１０  化粧グリル、１１  スプリング、１２  ダクト、１３  梱包グリル、１４  説明書、２０，２０Ａ，２０Ｂ  梱包箱、２１  側壁部、２１ａ，２１ｂ，２１ｃ，２１ｄ  側面、２２  底壁部、２２ａ，２２ｂ，２２ｃ，２２ｄ，２３ａ，２３ｂ，２３ｃ，２３ｄ  フラップ、２３  天壁部、２４，２５，２６  罫線、２７  糊しろ部、３１，３２，３３，３４  識別マーク、３１ａ，３１ｂ，３１ｃ，３１ｄ，３１ｅ，３２ａ，３２ｂ，３２ｃ，３２ｄ，３２ｅ，３３ａ，３３ｂ，３３ｃ，３３ｄ，３３ｅ，３４ａ，３４ｂ，３４ｃ，３４ｄ，３４ｅ  構成要素候補、４１，４２  ２次元バーコード、１００  換気扇。
【図１】
2020203701.tif 000003
【図２】
2020203701.tif 000004
【図３】
2020203701.tif 000005
【図４】
2020203701.tif 000006
【図５】
2020203701.tif 000007
【図６】
2020203701.tif 000008
【図７】
2020203701.tif 000009
【図８】
2020203701.tif 000010
【図９】
2020203701.tif 000011
【図１０】
2020203701.tif 000012
【図１１】
2020203701.tif 000013
【図１２】
2020203701.tif 000014
【図１３】
2020203701.tif 000015
【図１４】
2020203701.tif 000016